(57)【要約】      （修正有）【課題】流水検知装置の２次側配管に加圧気体を充填した場合のスプリンクラーヘッドの開放作動から放水開始までの放水所要時間を確認可能とする。【解決手段】乾式予作動消火設備は、加圧気体を充填した２次側配管に接続した閉鎖型のスプリンクラーヘッド26の作動による減圧に基づき予作動弁装置24を開放動作し、消火ポンプ10による加圧消火用水を作動したスプリンクラーヘッド26に供給して放水させる。予作動弁制御盤34に設けた時間計測部は、末端試験用電動弁28の開放制御によりスプリンクラーヘッド１台が作動したと同じ試験放水を行い、減圧検出器44の減圧検出により時間計測を開始し、その後、流水検知器46の流水検出で時間計測を終了し、スプリンクラーヘッド26が作動してから加圧気体の噴出を経て加圧消火用水の放水を開始するまでの時間に相当する放水所要時間を計測し、計測した放水所要時間を印字及び又は表示により出力する。【選択図】図１
2015097561.tif 000002
【特許請求の範囲】
【請求項１】
流水検知装置の１次側配管に加圧消火用水を充水すると共に２次側配管に閉鎖型のスプリンクラーヘッドを接続して加圧気体を充填し、前記スプリンクラーヘッドの作動による前記２次側配管の減圧に基づく差圧又は電動弁の制御により前記流水検知装置を開放動作して１次側配管の加圧消火用水を前記スプリンクラーヘッドに供給して放水させる消火設備に於いて、
前記スプリンクラーヘッドの作動を検出するヘッド作動検出部と、
前記スプリンクラーヘッドからの加圧消火用水の放水開始を検出する放水開始検出部と、
前記作動検出部及び放水開始検出部を信号線接続した制御部に、前記ヘッド作動検出部によりヘッド作動を検出してから前記放水開始検出部により放水開始を検出までの放水所要時間を計測する時間計測部を設けたことを特徴とする消火設備。
【請求項２】
請求項１記載の消火設備に於いて、前記時間計測部は、計測した前記放水所要時間を印字及び又は表示により出力することを特徴とする消火設備。
【請求項３】
請求項１記載の消火設備に於いて、前記時間計測部は、操作部による点検操作の受付けを検出した場合、前記２次側配管の末端に設けた末端試験用電動弁を開放制御して時間計測を行うことを特徴とする消火設備。
【請求項４】
請求項１記載の消火設備に於いて、
前記流水検知装置は、
前記ヘッド作動検出部として、前記スプリンクラーヘッドの作動による２次側配管の減圧を検出して減圧検出信号を出力する減圧検出器を設け、
前記放水開始検出部として、前記流水検知装置の開放動作に伴う流水を検出して流水検出信号を出力する流水検出器を設け、
前記時間計測部は、前記減圧検出器からの減圧検出信号が入力した場合に前記時間計測を開始し、前記流水検出器からの流水検出信号が入力した場合に前記時間計測を終了して前記放水遅れ時間を計測することを特徴とする消火設備。
【請求項５】
請求項１記載の消火設備に於いて、
前記流水検知装置は、前記ヘッド作動検出部及び放水開始検出部として、前記スプリンクラーヘッドの作動による２次側配管の減圧を検出して減圧検出信号を出力する減圧検出器を設け、
前記時間計測部は、前記減圧検出器からの減圧検出信号が入力した場合に時間計測を開始し、前記減圧検出器からの減圧検出信号の入力が停止した場合に前記時間計測を終了して前記放水所要時間を計測することを特徴とする消火設備。
【請求項６】
請求項１記載の消火設備に於いて、
前記流水検知装置は、
前記ヘッド作動検出部として、前記スプリンクラーヘッドの作動による２次側配管の圧力が第１圧力閾値以下となる減圧を検出して減圧検出信号を出力する減圧検出器を設け、
前記放水開始検出部として、前記２次側配管の圧力が前記第１圧力閾値より所定値高い第２圧力閾値以上となる圧力回復を検出して圧力検出信号を出力する圧力検出器を設け、
前記時間計測部は、前記減圧検出器からの減圧検出信号が入力した場合に前記時間計測を開始し、前記圧力検出器からの圧力検出信号が入力した場合に前記時間計測を終了して前記放水所要時間を計測することを特徴とする消火設備。
【請求項７】
請求項３記載の消火設備に於いて、
前記制御部は、前記ヘッド作動検出部として、前記末端試験用電動弁を開放するための起動制御を検出する試験起動検出部を設け、
前記流水検知装置は、前記放水開始検出部として、前記流水検知装置の開放動作に伴う流水を検出して流水検出信号を出力する流水検出器を設け、
前記時間計測部は、前記試験起動検出部により前記末端試験用電動弁の起動制御を検出した場合に時間計測を開始し、前記流水検出器からの流水検出信号が入力した場合に時間計測を終了して前記放水所要時間を計測することを特徴とする消火設備。
【請求項８】
請求項３記載の消火設備に於いて、
前記時間計測部は、複数の防護区画に設けた前記末端試験用電動弁を所定のインターバル時間をおいて順次開放制御して、前記複数の防護区画の放水所要時間を計測することを特徴とする消火設備。
【発明の詳細な説明】
【技術分野】
【０００１】
本発明は、加圧気体を充填した２次側配管に接続したスプリンクラーヘッドの作動により流水検知装置を開放して１次側の加圧消火用水をスプリンクラーヘッドに供給して放水させる消火設備に関する。
【背景技術】
【０００２】
従来、閉鎖型のスプリンクラーヘッドの火災による作動で消火用水を放水するスプリンクラー消火設備としては、閉鎖型のスプリンクラーヘッドを接続した２次側配管に加圧消火用水を充水した湿式スプリンクラー消火設備、スプリンクラーヘッドの破損などによる誤放水を防止する湿式予作動スプリンクラー消火設備が知られている。
【０００３】
また、冬場に凍結が想定される地域の物件を対象として、閉鎖型のスプリンクラーヘッドを接続した２次側配管に凍結防止のために空気又は不活性ガスなどの加圧気体を充填した乾式スプリンクラー消火設備、スプリンクラーヘッドの破損などによる誤放水を防止する乾式予作動スプリンクラー消火設備が知られている。
【０００４】
ここで、乾式スプリンクラー消火設備および乾式予作動スプリンクラー消火設備は、流水検知装置の２次側配管に例えば加圧空気を充填しており、スプリンクラーヘッドが開放作動した場合、湿式又は湿式予作動スプリンクラー消火設備のように作動直後に消火用水が散水されず、まず加圧気体が放出され、これに伴う差圧又は電動弁の制御により流水検知装置を開放して１次側から加圧消火用水を供給して放水しており、このためスプリンクラーヘッドが開放作動してから消火用水を放水するまでに時間遅れがある。
【０００５】
そこで乾式スプリンクラー消火設備および乾式予作動スプリンクラー消火設備については、放水遅れを考慮して、スプリンクラーヘッドが開放した場合に１分以内に当該スプリンクラーヘッドから放水できることを法的に定めている。また、水源も湿式に対して１．５倍の容量を設けることを義務付けている。
【０００６】
そのため、設備設計の際には、流水検知装置の２次側配管の容積、充填する気体の圧力、消火ポンプなどの加圧送水装置の能力から、スプリンクラーヘッドが開放作動してから放水を開始するまでの放水所要時間を計算で求め、法的に定めた１分以内となる放水所要時間が得られるように設備設計を行っている。
【先行技術文献】
【特許文献】
【０００７】
【特許文献１】特開平４−１８９３７２号公報
【特許文献２】特開平４−２７６２７１号公報
【発明の概要】
【発明が解決しようとする課題】
【０００８】
しかしながら、このような従来の乾式スプリンクラー消火設備および乾式予作動スプリンクラー消火設備にあっては、設備の維持管理において実際にスプリンクラーヘッドを開放作動して放水することができないため、１分以内となる所用放水時間内に放水することが可能であるかを確認することができず、また、実際に火災によりスプリンクラーヘッドが作動して放水した場合、火災が鎮火して放水を停止した後に、１分以内となる放水所要時間内に放水したかどうかを確認することができないという問題がある。
【０００９】
また、水源の容量は放水所要時間が最大１分になることを考慮して湿式の１．５倍の容量を義務付けているが、もし、実際の所要時間を確認して１分未満であった場合には、所要時間の短縮に応じて水源の容積の倍率を低減して水源水槽の設置面積を低減することが可能であるが、所要時間を確認する手段がないため、実際の所要時間が１分未満であったとしても、湿式の１．５倍の容量を確保しなければならず、水源水槽の占有面積が大きくなる問題を残している。
【００１０】
本発明は、流水検知装置の２次側配管に加圧気体を充填した場合のスプリンクラーヘッドの開放作動から放水開始までの放水所要時間を確認可能とした湿式および湿式予作動の消火設備を提供することを目的とする。
【課題を解決するための手段】
【００１１】
（消火設備）
本発明は、流水検知装置の１次側配管に加圧消火用水を充水すると共に２次側配管に閉鎖型のスプリンクラーヘッドを接続して加圧気体を充填し、スプリンクラーヘッドの作動による２次側配管の減圧に基づく差圧又は電動弁の制御により流水検知装置を開放動作して１次側配管の加圧消火用水をスプリンクラーヘッドに供給して放水させる消火設備に於いて、
スプリンクラーヘッドの作動を検出するヘッド作動検出部と、
スプリンクラーヘッドからの加圧消火用水の放水開始を検出する放水開始検出部と、
作動検出部及び放水開始検出部を信号線接続した制御部に、ヘッド作動検出部によりヘッド作動を検出から放水開始検出部により放水開始を検出までの放水所要時間を計測する時間計測部を設けたことを特徴とする。
【００１２】
（放水所要時間の印字・表示）
時間計測部は、計測した前記放水所要時間を印字及び又は表示により出力する。
【００１３】
（点検による放水所要時間の計測）
時間計測部は、操作部による点検操作の受付けを検出した場合、２次側配管の末端に設けた末端試験用電動弁を開放制御して時間計測を行う。
【００１４】
（減圧検出から流水検出までの時間計測）
流水検知装置は、
ヘッド作動検出部として、スプリンクラーヘッドの作動による２次側配管の減圧を検出して減圧検出信号を出力する減圧検出器を設け、
放水開始検出部として、流水検知装置の開放動作に伴う流水を検出して流水検出信号を出力する流水検出器を設け、
時間計測部は、減圧検出器からの減圧検出信号が入力した場合に時間計測を開始し、流水検出器からの流水検出信号が入力した場合に時間計測を終了して放水遅れ時間を計測する。
【００１５】
（減圧検出から回復圧力検出までの時間計測）
流水検知装置は、
ヘッド作動検出部として、スプリンクラーヘッドの作動による２次側配管の圧力が第１圧力閾値以下となる減圧を検出して減圧検出信号を出力する減圧検出器を設け、
放水開始検出部として、２次側配管の圧力が第１圧力閾値より所定値低い第２圧力閾値以上となる圧力回復を検出して圧力検出信号を出力する圧力検出器を設け、
時間計測部は、減圧検出器からの減圧検出信号が入力した場合に時間計測を開始し、圧力検出器からの圧力検出信号が入力した場合に時間計測を終了して放水所要時間を計測する。
【００１６】
（減圧検出から圧力回復検出までの時間計測）
流水検知装置は、
スプリンクラーヘッドの作動による２次側配管の減圧を検出して第１減圧検出信号を出力する第１減圧検出器と、
ヘッド作動検出部として、第１減圧検出器より所定値だけ低い減圧を検出して第２減圧検出信号を出力する第２減圧検出器と、
放水開始検出部として、流水検知装置の開放動作に伴う流水を検出して流水検出信号を出力する流水検出器と、
を設け、
時間計測部は、第２減圧検出器からの第２減圧検出信号が入力した場合に時間計測を開始し、流水検出器からの流水検出信号が入力した場合に時間計測を終了して放水所要時間を計測する。
【００１７】
（末端試験用電動弁の起動から流水検出までの時間計測）
制御部は、ヘッド作動検出部として、末端試験用電動弁を開放するための起動制御を検出する試験起動検出部を設け、
流水検知装置は、放水開始検出部として、流水検知装置の開放動作に伴う流水を検出して流水検出信号を出力する流水検出器を設け、
時間計測部は、試験起動検出部により末端試験用電動弁の起動制御を検出した場合に時間計測を開始し、流水検出器からの流水検出信号が入力した場合に時間計測を終了して放水所要時間を計測する。
【００１８】
（複数区画の時間計測）
時間計測部は、複数の防護区画に設けた末端試験用電動弁を所定のインターバル時間をおいて順次開放制御して、複数の防護区画の放水所要時間を計測する。
【発明の効果】
【００１９】
（基本的な効果）
本発明の消火設備によれば、加圧気体を充填した流水検知装置の２次配管に接続したスプリンクラーヘッドの作動をヘッド作動検出部で検出し、スプリンクラーヘッドからの加圧消火用水の放水開始を放水開始検出部で検出し、制御部に設けた時間計測部により、ヘッド作動検出部によりヘッド作動を検出から放水開始検出部により放水開始を検出までの放水所要時間を計測するようにしたため、スプリンクラーヘッドが開放作動してから放水するまでの放水所要時間（放水遅れ時間）を実際の消火設備について確認することを可能とし、法的に義務付けられた１分以内となる放水所要時間を満たしていることを確認することで、消火設備の信頼性を確保可能とする。
【００２０】
また、計測した放水所要時間が１分未満の十分に短い時間であった場合には、火災が発生した場合に消火タイミングが早い設備であることが確認でき、設備性能に対し高い評価をもつことで、高い信頼性を確保可能とする。
【００２１】
また、スプリンクラーヘッドの開放作動から放水までの放水所要時間が例えば１分未満となることが確認できた場合、湿式の１．５倍となる水源容量を、所要放水時間の短縮時間に応じて倍率を低減可能となり、消火設備の実態に合った水源水量で済むため、建物設計上において、貯水槽の占有面積を少なくすることを可能とする。例えば、消火設備について計測した放水所要時間が３０秒であった場合、湿式の１．２５倍の水源水量とすることを可能とする。
【００２２】
（放水所要時間の印字・表示による効果）
また、時間計測部は、計測した放水所要時間を印字及び又は表示により出力するようにしたため、例えば火災後に印字及び又は表示された放水所要時間を確認することができ、消火設備の動作状況の解析に必要なデータを提供可能とする。
【００２３】
（点検による放水所要時間の計測による効果）
また、時間計測部は、操作部による点検操作の受付けを検出した場合、２次側配管の末端に設けた末端試験用電動弁を開放制御して時間計測を行うようにしたため、点検を行う場合に、スプリンクラーヘッドから実際に放水することなく、実際の２次側配管の加圧空気を放出して流水検知装置の開放動作により消火用水を流して放水するまでの擬似的な試験動作により、スプリンクラーヘッドの開放作動から放水までの放水所要時間を実質的に計測して確認することが点検により可能となり、もし放水所要時間が１分を越えているような場合には、関連する機器の点検調整などにより対処することで、消火設備の保全管理を適切に行うことを可能とする。
【００２４】
（減圧検出から流水検出までの時間計測による効果）
また、流水検知装置は、ヘッド作動検出部として、スプリンクラーヘッドの作動による２次側配管の減圧を検出して減圧検出信号を出力する減圧検出器を設け、放水開始検出部として、流水検知装置の開放動作に伴う流水を検出して流水検出信号を出力する流水検出器とを設け、時間計測部は、減圧検出器からの減圧検出信号が入力した場合に時間計測を開始し、流水検出器からの流水検出信号が入力した場合に時間計測を終了して放水遅れ時間を計測するようにしたため、例えば乾式予作動用の流水検知装置に設けている減圧検出器と流水検出器を利用して放水所要時間を簡単に計測することができる。
【００２５】
また、乾式の場合には、乾式の流水検知装置の流水検出器に加え、減圧検出器を設けることで、放水所要時間を簡単に計測することができる。
【００２６】
（減圧検出から減圧検出停止までの時間計測による効果）
また、流水検知装置は、ヘッド作動検出部及び放水開始検出部として、スプリンクラーヘッドの作動による２次側配管の減圧を検出して減圧検出信号を出力する減圧検出器を設け、時間計測部は、減圧検出器からの減圧検出信号が入力した場合に時間計測を開始し、減圧検出器からの減圧検出信号の入力が停止した場合に時間計測を終了して放水所要時間を計測するようにしたため、流水検知装置の２次側配管の減圧を検出する減圧検出器のみによりスプリンクラーヘッドの開放作動から放水開始までの時間に実質的に相当する放水所要時間を簡単に計測可能とする。
【００２７】
（減圧検出から圧力回復検出までの時間計測による効果）
流水検知装置は、ヘッド作動検出部として、スプリンクラーヘッドの作動による２次側配管の圧力が第１圧力閾値以下となる減圧を検出して減圧検出信号を出力する減圧検出器を設け、ヘッド作動検出部として、２次側配管の圧力が第１圧力閾値より所定値高い第２閾値圧力以上となる圧力回復を検出して圧力検出信号を出力する圧力検出器を設け、時間計測部は、減圧検出器からの減圧検出信号が入力した場合に時間計測を開始し、圧力検出器からの圧力検出信号が入力した場合に時間計測を終了して前記放水所要時間を計測するようにしたため、スプリンクラーヘッドの開放作動から放水開始までの実際の放水所要時間により近い時間計測を可能として測定精度を向上可能とする。
【００２８】
（末端試験用電動弁の起動から流水検出までの時間計測による効果）
また、制御部は、ヘッド作動検出部として、末端試験用電動弁を開放するための起動制御を検出する試験起動検出部を設け、流水検知装置は、放水開始検出部として、流水検知装置の開放動作に伴う流水を検出して流水検出信号を出力する流水検出器を設け、時間計測部は、試験起動検出部により末端試験用電動弁の起動制御を検出した場合に時間計測を開始し、流水検出器からの流水検出信号が入力した場合に時間計測を終了して放水所要時間を計測するようにしたため、スプリンクラーヘッドの擬似的な開放作動に相当する末端試験用電動弁の開放制御の開始を示す起動制御を検出して放水所要時間の計測を開始することで、スプリンクラーヘッドの開放作動から放水開始までの放水所要時間の測定精度を向上可能とする。
【００２９】
（複数区画の時間計測による効果）
また、時間計測部は、複数の防護区画に設けた末端試験用電動弁を所定のインターバル時間をおいて順次開放制御して、複数の防護区画の放水所要時間を計測するようにしたため、点検を行う場合に、消火設備の全ての防護区画についてスプリンクラーヘッドの開放作動から放水までの放水所要時間の確認を可能とし、定期点検は勿論のこと、日常的な消火設備の自己診断を可能とし、消火設備の保全管理を正しく行うことを可能とする。
【図面の簡単な説明】
【００３０】
【図１】乾式予作動スプリンクラー消火設備を例にとって概略を示した説明図
【図２】図１の予作動弁制御盤の機能構成の実施形態を示したブロック図
【図３】図１及び図２について末端試験用電動弁の開放制御による放水所要時間の計測動作を示したタイムチャート
【図４】減圧検出器と圧力検出器を設けて放水所要時間の計測を可能とする予作動弁装置の概略を示した説明図
【図５】図４の減圧検出器と圧力検出器を用いた放水所要時間の計測動作を示したタイムチャート
【図６】乾式スプリンクラー消火設備を例にとって概略を示した説明図
【図７】図６の火災表示盤の機能構成の実施形態を示したブロック図
【図８】図６及び図７について末端試験用電動弁の開放制御による放水所要時間の計測動作を示したタイムチャート
【図９】減圧検出器と圧力検出器を設けて放水所要時間の計測を可能とする予作動弁装置の概略を示した説明図
【図１０】図９の減圧検出器と圧力検出器を用いた放水所要時間の計測動作を示したタイムチャート
【発明を実施するための形態】
【００３１】
［乾式予作動スプリンクラー消火設備の概要］
図１は、本発明の消火設備の一例として、乾式予作動スプリンクラー消火設備の概要を示した説明図である。図１に示すように、建物の地下階などのポンプ室には消火ポンプ１０を設置し、モータ１２により駆動する。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧した消火用水を供給する。
【００３２】
消火ポンプ１０に対しては呼水槽１７を設ける。また消火ポンプ１０の起動に使用する圧力タンク１８を設ける。圧力タンク１８は給水本管１６に接続し、配管内の加圧消火用水を導入して内部の空気を圧縮している。圧力タンク１８には圧力検出器２０を設け、圧力検出器２０は給水本管１６の管内圧力が規定圧力以下に低下した減圧を検出してポンプ制御盤１４に減圧検出信号を出力し、これによってモータ１２を駆動して消火ポンプ１０を起動する。
【００３３】
給水本管１６からは建物の例えば階別の防護区画毎に分岐管２２を引き出している。分岐管２２の分岐部分には予作動式の流水検知装置として機能する予作動弁装置２４を設けている。予作動弁装置２４の２次側の分岐管２２には閉鎖型のスプリンクラーヘッド２６を設け、２次側配管内には加圧空気を充填している。
【００３４】
予作動弁装置２４の２次側の分岐管２２に加圧空気を供給するためエアコンプレッサー４８を設けており、エアコンプレッサー４８はコンプレッサー制御盤５０により圧力検出器５２で検出しているタンク圧力を一定とするように運転制御する。コンプレッサー４８による加圧空気は調圧弁５４により所定圧力に調整した後、エア配管５８によりエアチャッキ弁５６を介して予作動弁４０の２次側に供給する。エアチャッキ弁５６はエアコンプレッサー４８側が減圧した場合に閉止して二次側配管に加圧空気を保持する。
【００３５】
なお、加圧空気に代えて、ボンベに充填した窒素ガスなどの不活性ガスを予作動弁４０の２次側の分岐管２２に供給しても良い。
【００３６】
スプリンクラーヘッド２６を設置した防護区画には火災感知器３６を設置し、火災感知器３６からの感知器線を、自火報受信機３５を介して予作動弁制御盤３４に接続している。分岐管２２の末端側には末端試験用電動弁２８を設け、その２次側を、オリフィス３０を介して排水管３２に接続している。また、末端試験用電動弁２８と並列に手動操作用の末端試験弁２９を接続している。
【００３７】
予作動弁装置２４は、予作動弁４０、作動用電動弁４２、減圧検出器４４及び流水検出器４６を備える。予作動弁４０の開放は作動用電動弁４２により行う。作動用電動弁４２は通常の監視状態では閉鎖状態にある。なお、減圧検出器４４及び流水検出器４６は圧力スイッチを使用する。
【００３８】
火災が発生して火災感知器３６で火災を検出し、２次側配管に接続しているスプリンクラーヘッド２６が火災による熱気流を受けて開放すると、作動したスプリンクラーヘッド２６から加圧空気が放出されて減圧する。このとき予作動弁制御盤３４は、火災検出と減圧検出に基づき作動用電動弁４２を開放制御信号により開放制御し（ダブルインターロック制御）、予作動弁４０をその開閉駆動機構により開放して１次側から２次側に加圧消火用水を供給し、作動しているスプリンクラーヘッド２６から加圧消火用水を放水する。このとき流水検出器４６が予作動弁４０の開放による流水を検出して予作動弁制御盤３４でスプリンクラーヘッド２６の放水表示を行う。
【００３９】
一方、予作動弁４０が開放すると、その１次側に接続している給水本管１６の圧力も低下し、この減圧を圧力タンク１８に設けている圧力スイッチ２０で検出して、ポンプ制御盤１４がポンプ１０を起動する。
【００４０】
［予作動弁制御盤の構成］
（予作動弁制御盤の概要）
図２は制御盤として機能する予作動弁制御盤の機能構成の実施形態を示したブロック図である。図２に示すように、予作動弁制御盤３４は、制御部６０、液晶表示パネル６２、表示部６４、操作部６５、警報部６６を備え、図１に示した例えば各フロアに設けた複数の防護区画毎に、予作動式の流水検知装置として機能する予作動弁装置２４を接続している。
【００４１】
予作動弁装置２４には、図１に示した火災感知器３６、予作動弁４０、作動用電動弁４２、減圧検出器４４、流水検出器４６及び末端試験用電動弁２８を取り出して示している。なお、火災感知器３６及び末端試験用電動弁２８は予作動弁装置２４の外の防護区画に設置しているが、説明の都合上、予作動弁装置２４の中に示している。
【００４２】
制御部６０は、例えばプログラムの実行により実現される機能であり、ハードウェアとしてはＣＰＵ、メモリ、各種の入出力ポート等を備えたコンピュータ回路等を使用する。
【００４３】
制御部６０に対しては防護区画毎の予作動弁装置２４側に設けた火災感知器３６を感知器線により接続し、また作動用電動弁４２、減圧検出器４４、流水検出器４６及び末端試験用電動弁２８を信号線により接続している。尚、予作動弁４０はその開閉駆動機構に対し作動用電動弁４２の開放制御で加圧消火用水の排水又は供給を受けて開閉する。
【００４４】
液晶表示パネル６２はタッチパネルを備え、制御部６０の指示により予作動弁制御盤３４の制御動作に必要な各種の画面表示を行い、表示画面の操作ボタンを操作することで、制御動作に必要な各種の操作入力を可能とする。
【００４５】
表示部６４は、予作動弁制御盤３４の制御動作に必要な各種の表示灯を設けている。また、表示部６４にはプリンタを設けており、予作動弁制御盤３４の制御動作に必要な各種の情報を印字出力可能とする。操作部６５は、予作動弁制御盤３４の制御動作に必要な各種の操作スイッチを設けている。警報部６６には火災警報、障害警報を音響出力するスピーカなどを設けている。
【００４６】
（制御部の構成）
予作動弁制御盤３４の制御部６０は、ダブルインターロック制御として、防護区画毎に、火災感知器３６による火災検出と減圧検出器４４による減圧検出の両方を判別した場合に、予作動弁装置２４に設けた作動用電動弁４２に開放制御信号を出力して遠隔的に開放制御し、これに伴い予作動弁４０をその開閉駆動機構により開放動作してスプリンクラーヘッド２６から加圧消火用水を散水させる制御を行う。
【００４７】
また、制御部６０は、別パターンとして、火災感知器３６による火災検出ができない障害検出、例えば伝送障害、断線、短絡、連動停止、商用電源断などの障害検出と減圧検出器による減圧検出の両方を判別した場合に作動用電動弁４２に開放制御信号を出力して開放制御し、これにより予作動弁装置２４を開放動作してスプリンクラーヘッド２６から加圧消火用水を放水させる。
【００４８】
（時間計測部の構成）
制御部６０に設けた時間計測部６８は、火災が発生した場合又は定期点検などを行う場合、例えばヘッド作動検出部として機能する減圧検出器４４からスプリンクラーヘッドの作動検出に相当する減圧検出信号を入力すると共に、放水開始検出器として機能する流水検出器４６からスプリンクラーヘッドの放水開始の検出に相当する流水検出信号を入力し、減圧検出器４４からの減圧検出信号が入力した場合に時間計測を開始し、流水検出器４６からの流水検出信号が入力した場合に時間計測を終了して、スプリンクラーヘッド２６が作動してから放水を開始するまでの放水所要時間を計測する制御を行う。
【００４９】
また、時間計測部６８は、計測した放水所要時間を表示部６４に設けたプリンタに指示して印字出力すると共に、液晶表示パネル６２に指示して放水所要時間を表示する制御を行い、計測した放水所要時間を出力して確認可能とする。
【００５０】
また、時間計測部６８は、液晶表示パネル６２の操作画面を用いた点検操作の受付けを検出した場合、２次側配管の末端に設けた末端試験用電動弁２８を開放制御して放水所要時間を計測する制御を行う。この場合、時間計測部６８は、複数の防護区画に設けた末端試験用電動弁２８に対し所定のインターバル時間を於いて開放制御信号を出力する起動制御を行って放水所要時間を計測する制御を行う。例えば時間計測部６８は、所定の順番に従って最初の防護区画の末端試験用電動弁２８を開放制御して放水所要時間の計測を終了したら、末端試験用電動弁２８を閉鎖制御し、以下、これを順次繰り返す制御を行う。
【００５１】
また、末端試験用電動弁２８を開放制御すると、給水本管１６の減圧により圧力タンク１８に設けた圧力検出器２０の減圧検出によりポンプ制御盤１４が消火ポンプ１０を起動するが、放水所要時間の計測が終了したら、ポンプ制御盤１４の操作でポンプ運転を停止し、次の防護区画の放水所要時間の計測に進むようにする。
【００５２】
このような時間計測部６８により擬似的にスプリンクラーヘッド２６が作動したと同じ放水動作を行って、スプリンクラーヘッド２６が開放作動して消火用水の放水を開始するまでの放水所要時間を計測するようにしたため、スプリンクラーヘッドが開放作動してから放水するまでの放水所要時間（放水遅れ時間）を実際の消火設備について確認することを可能とし、法的に義務付けられた１分以内となる放水所要時間を満たしていることを確認することで、消火設備の信頼性を確保可能とする。
【００５３】
また、計測した放水所要時間が１分未満の十分に短い時間であった場合には、火災が発生した場合に消火タイミングが早い高性能の消火設備であることが確認でき、設備性能に対し高い評価をもつことで、高い信頼性を確保可能とする。
【００５４】
また、スプリンクラーヘッド２６の開放作動から放水までの放水所要時間が例えば１分未満となることが確認できた場合、湿式の１．５倍となる水源容量を、所要放水時間の短縮時間に応じて倍率を低減可能となり、消火設備の実態に合った水源水槽１５の水量で済むため、建物建設する場合に、水源水槽１５の占有面積を少なくすることを可能とする。例えば、消火設備について計測した放水所要時間が３０秒であった場合、従来は湿式の１．５倍の水源水量を必要としたものが、１．２５倍の水源水量に低減することを可能とする。
【００５５】
（放水所要時間の計測動作）
図３は、図１及び図２について、時間計測部６８による末端試験用電動弁を開放制御して行う放水所要時間の計測動作を示したタイムチャートである。
【００５６】
図３に示すように、予作動制御盤３４の時間計測部６８は、点検操作などの受付けを検出して時刻ｔ１で末端試験用電動弁４２に開放制御信号を出力して起動制御を行うと、予作動弁装置２４の２次側の分岐管２２に充填している加圧空気が排出され、２次側管内圧力が低下を始める。
【００５７】
２次側配管圧力が時刻ｔ２で所定の圧力閾値Ｐｔｈ１に低下すると減圧検出器４４が減圧検出信号を出力し、このとき点検操作に伴う擬似的な火災検出に基づき、予作動弁制御盤３４の制御部６０は作動用電動弁４２を開放制御し、これにより予作動弁４０が開放し、１次側の加圧消火用水を２次側の分岐管２２に供給し、開放している末端試験用電動弁２８を介して排水管３２に流し、スプリンクラーヘッド２６の一台が作動した場合に相当する水量を流す試験放水を行う。この試験放水により時刻ｔ４で流水検出器４６が流水検出信号を出力し、予作動弁制御盤３４の表示部６４で放水作動表示を行う。
【００５８】
一方、時刻ｔ２からの作動用電動弁４２の開放制御に伴う予作動弁４０の開放動作により給水本管１６の管内圧力も低下し、時刻ｔ３で所定の圧力閾値Ｐｔｈ３に低下すると圧力タンク１８に設けた圧力検出器２０が減圧検出信号をポンプ制御盤１４に出力し、消火ポンプ１０を起動する。これにより低下していた給水本管１６の管内圧力は回復し、また、予作動弁装置２４の２次側管内圧力も回復し、試験放水を継続する。
【００５９】
このような試験放水において、時間計測部６８は、時刻ｔ２で減圧検出器４４からの減圧検出信号の入力を検出すると時間計測を開始し、その後、時刻ｔ４で流水検出器４６からの流水検出信号の入力を検出すると時間計測を終了し、このように計測した時刻ｔ２からｔ４までの時間を、スプリンクラーヘッド２６を作動したときから消火用水を放水するまでの放水所要時間Ｔｄとして出力する。
【００６０】
ここで、末端試験用電動弁２８を開放制御する時刻ｔ１は、火災によるスプリンクラーヘッド２６が開放作動する時刻に相当し、その直後となる時刻ｔ２の減圧検出器４４による減圧検出で時間計測を開始しており、実質的にスプリンクラーヘッド２６が開放作動したと同じタイミングで時間計測を開始している。
【００６１】
また、予作動弁４０の開放による２次側への加圧消火用水の供給による流水を時刻ｔ４の流水検出器４６により検出して時間計測を終了しており、時刻ｔ２は作動したスプリンクラーヘッド２６からの放水開始タイミングに略一致している。従って、末端試験用電動弁２８の開放制御による試験放水で放水所要時間を計測しているが、実際にスプリンクラーヘッド２６を作動したときから消火用水を放水するまでの時間に略一致する放水所要時間を正確に計測することを可能とする。
【００６２】
［減圧検出器のみによる時間計測］
図１及び図２に示した予作動制御盤３４の制御部６に設けた時間計測部６８の他の実施形態として、時間計測部６８は、予作動弁装置２４に設けた減圧検出器４４からの減圧検出信号が入力した場合に時間計測を開始し、同じ減圧検出器４４からの減圧検出信号の入力が停止した場合に時間計測を終了して放水所要時間を計測する制御を行う。
【００６３】
即ち、図３のタイムチャートに示すように、末端試験用電動弁２８の開放制御による２次側管内圧力の低下に対し、時間計測部６８は、予作動弁装置２４に設けた減圧検出器４４が時刻ｔ２で所定の閾値圧力Ｐｔｈ１に低下する減圧を検出した場合の減圧検出信号の入力を検出して時間計測を開始し、時刻ｔ３での給水本管内圧力の低下に基づく消火ポンプ１０の起動により上昇を始めた２次側管内圧力が時刻ｔ５で所定の圧力閾値Ｐｔｈ１に回復して減圧検出信号の入力の停止を検出した場合に時間計測を終了し、このように計測した時刻ｔ２からｔ５までの時間を、スプリンクラーヘッド２６を作動したときから消火用水を放水するまでの放水所要時間Ｔｄ２として出力する。
【００６４】
このように同じ減圧検出器４４より減圧検出の開始から終了までの時間から放水所要時間Ｔｄ２を計測することで、その構成を簡単にすることを可能とする。また、この場合の放水所要時間Ｔｄ２は、減圧検出器４４による減圧検出から流水検出器４６による流水検出までの時間計測による放水所要時間Ｔｄに対し若干長めの時間を計測することになるが、実際にスプリンクラーヘッド２６を作動したときから消火用水を放水するまでの時間に略一致する放水所要時間を計測することを可能とする。
【００６５】
また、減圧検出器４４の減圧回復を検出する圧力閾値をＰｔｈ１より低い値に設定すれば、流水検出器４６と組み合わせた場合と同等な精度で放水所要時間を計測可能とする。
【００６６】
［末端試験用電動弁の起動制御から流水検出までの時間計測］
図１及び図２に示した予作動弁制御盤３４の制御部６に設けた時間計測部６８の他の実施形態として、時間計測部６８は、末端試験用電動弁２８に対する開放制御信号の出力を検出した場合に時間計測を開始し、その後、流水検出器４６からの流水検出信号の入力を検出した場合に時間計測を終了して放水所要時間を計測する制御を行う。
【００６７】
即ち、図３のタイムチャートに示すように、末端試験用電動弁２８を時刻ｔ１で開放制御する開放制御信号の出力を検出した場合に時間計測を開始し、時刻Ｔ４で流水検出器４６からの流水検出信号の入力を検出した場合に時間計測を終了し、時刻ｔ１からｔ４までの時間を計測し、スプリンクラーヘッド２６を作動したときから消火用水を放水するまでの放水所要時間Ｔｄとして出力する。
【００６８】
このように末端試験用電動弁２８の開放制御の開始タイミングで時間計測を開始することで、スプリンクラーヘッド２６の開放作動に相当するタイミングでの時間計測の開始を可能とし、実際にスプリンクラーヘッド２６を作動したときから消火用水を放水するまでの時間により近い放水所要時間を計測することを可能とする。
【００６９】
また、末端試験用電動弁２８の開放制御の開始タイミングを検出することで、減圧検出器などのセンサを不要とし、構成を簡単にすることを可能とする。
【００７０】
［減圧検出から回復圧力検出による時間計測の開始］
図４は減圧を検出する減圧検出器と圧力回復を検出する圧力検出器を設けて放水所要時間の計測を開始するための予作動弁装置の概略を示した説明図である。
【００７１】
図４に示すように、予作動弁装置２４には、図１の実施形態と同様、予作動弁４０、作動用電動弁４２、減圧検出器４４及び流水検出器４６を備え、２次側の分岐管２２内にエア配管５８から供給した加圧空気を充填している。
【００７２】
これに加え図４の実施形態にあっては、更に、２次側の分岐管２２の管内圧力の減圧後の圧力回復を検出する圧力検出器４５を新たに設けており、圧力検出器４５は、減圧検出器４４で減圧検出する第１圧力閾値Ｐｔｈ１に対し、これより所定値高い圧力を検出する第２圧力閾値Ｐｔｈ２を設定している。例えば第１圧力閾値Ｐｔｈ１は０．０５ＭＰａであり、これに対し第２圧力閾値Ｐｔｈ２は０．１ＭＰａに設定する。
【００７３】
図５は、図４の減圧検出器４４と圧力検出器４５を設けた場合について、時間計測部６８による末端試験用電動弁を開放制御して行う放水所要時間の計測動作を示したタイムチャートである。
【００７４】
図５に示すように、予作動制御盤３４の時間計測部６８は、点検操作などの受付けを検出して時刻ｔ１で末端試験用電動弁２８の起動制御を行うと、予作動弁装置２４の２次側の分岐管２２に充填している加圧空気が排出され、２次側管内圧力が低下を始める。
【００７５】
２次側配管圧力が時刻ｔ２で所定の第２圧力閾値Ｐｔｈ２を下回ると、それまでオンしていた圧力検出器４５がオフとなる。続いて時刻ｔ３で２次側配管圧力が第１閾値圧力Ｐｔｈ１に低下すると減圧検出器４４が減圧検出信号を出力し、点検操作に伴う擬似的な火災検出に基づき、予作動弁制御盤３４の制御部６０は作動用電動弁４２を開放制御して予作動弁４０を開放し、１次側の加圧消火用水を２次側の分岐管２２に供給し、開放している末端試験用電動弁２８を介して排水管３２に流し、スプリンクラーヘッド２６の一台が作動した場合に相当する水量を流す試験放水を行う。
【００７６】
この試験放水により時刻ｔ５で流水検出器４６が流水検出信号を出力し、予作動弁制御盤３４の表示部６４で放水作動表示を行う。また、時刻ｔ３からの作動用電動弁４２の開放制御に伴う予作動弁４０の開放動作により給水本管１６の管内圧力も低下し、時刻ｔ４で所定の圧力閾値Ｐｔｈ３に低下すると圧力検出器２０が減圧検出信号をポンプ制御盤１４に出力し、消火ポンプ１０を起動する。
【００７７】
消火ポンプ１０を起動すると、給水本管１６の圧力が回復を始め、これに伴い２次側配管の管内圧力も回復し、時刻ｔ６で第１圧力閾値Ｐｔｈ１を超えて減圧検出器４４がオフし、続いて時刻ｔ７で第２圧力閾値Ｐｔｈ２に達して圧力検出器４５がオンとなる。
【００７８】
このような試験放水において、時刻ｔ３の減圧検出器４４が減圧検出信号を出力し、時間計測部６８は、時刻ｔ３で減圧検出器４４からの減圧検出信号の入力を検出すると時間計測を開始し、その後、時刻ｔ７で圧力回復を検出した圧力検出器４５からの圧力検出信号の入力を検出すると時間計測を終了し、計測した時刻ｔ３からｔ７までの時間を、スプリンクラーヘッド２６が作動したときから消火用水を放水するまでの放水所要時間Ｔｄとして出力する。
【００７９】
このような減圧検出器４４による減圧検出で放水所要時間の計測を開始し、圧力検出器４５による回復圧力の検出で時間計測を終了するようにしたため、スプリンクラーヘッドが作動してから実際に放水が開始されるまでの時間により近い放水所要時間を高い精度で測定することが可能となる。
【００８０】
［乾式スプリンクラー消火設備の概要］
図６は、本発明の消火設備の他の例として、乾式スプリンクラー消火設備の概要を示した説明図である。図６に示すように、建物の地下階などのポンプ室には消火ポンプ１０、モータ１２、ポンプ制御盤１４、水源水槽１５を設け、ポンプ制御盤１４により運転制御を受けるモータ１２により駆動された消火ポンプ１０は水源水槽１５からの消火用水を吸入して給水本管１６に加圧供給する。
【００８１】
消火ポンプ１０に対しては圧力タンク１８を設け、圧力タンク１８に設けた圧力検出器２０により給水本管１６の管内圧力の減圧を検出してポンプ制御盤１４に減圧検出信号を出力し、モータ１２を駆動して消火ポンプ１０を起動する。
【００８２】
給水本管１６からは建物の例えば階別の防護区画毎に分岐管２２を引き出し、分岐管２２の分岐部分には流水検知装置７０を設けている。流水検知装置７０の２次側の分岐管２２には閉鎖型のスプリンクラーヘッド２６を設け、２次側配管内には加圧空気を充填している。
【００８３】
流水検知装置７０の２次側の分岐管２２に加圧空気を供給するためエアコンプレッサー４８を設けており、エアコンプレッサー４８はコンプレッサー制御盤５０により圧力検出器５２で検出しているタンク圧力を一定とするように運転制御する。コンプレッサー４８による加圧空気は調圧弁５４により所定圧力に調整した後、エア配管５８によりエアチャッキ弁５６を介して流水検知装置７０の２次側に供給する。エアチャッキ弁５６はエアコンプレッサー４８側が減圧した場合に閉止して２次側配管に加圧空気を保持する。なお、加圧空気に代えて、ボンベに充填した窒素ガスなどの不活性ガスを流水検知装置７０の２次側の分岐管２２に供給しても良い。
【００８４】
流水検知装置７０は、本弁７２、減圧検出器７４及び流水検出器７６を備える。本弁７２は通常の監視状態では閉鎖しており、スプリンクラーヘッド２６が開放作動して２次側の分岐管２２に充填している圧縮空気を放出して管内圧力が減圧する。この減圧を減圧検出器７４が検出して減圧検出信号を制御盤として機能する火災表示盤７８に出力し、表示盤７８は火災表示を行う。
【００８５】
また、２次側の分岐管２２が減圧すると、一次側に充水している加圧消火用水との差圧により本弁７２の弁体が開放し、１次側から２次側に加圧消火用水を供給してスプリンクラーヘッド２６から放水する。本弁７２が開放すると、流水検出器７６が流水検出信号を制御盤として機能とする火災表示盤７８に出力し、火災表示盤７８は放水表示を行う。
【００８６】
一方、本弁７２が開放すると、その１次側に接続している給水本管１６の圧力も低下し、この減圧を圧力タンク１８に設けている圧力検出器２０で検出して、ポンプ制御盤１４がポンプ１０を起動する。
【００８７】
［火災表示盤の構成］
（火災表示盤の概要）
図７は制御盤として機能する火災表示盤の機能構成の実施形態を示したブロック図である。図７に示すように、火災表示盤７８は、制御部８０、液晶表示パネル８２、表示部８４、操作部８５、警報部８６を備え、図６に示した例えば各フロアに設けた複数の防護区画毎に、流水検知装置７０を接続している。
【００８８】
流水検知装置７０には、図６に示した本弁７２、減圧検出器７４、流水検出器７６及び末端試験用電動弁２８を取り出して示している。なお、末端試験用電動弁２８は流水検知装置７０の外となる防護区画に設置しているが、説明の都合上、流水検知装置７０の中に示している。
【００８９】
制御部８０は、例えばプログラムの実行により実現される機能であり、ハードウェアとしてはＣＰＵ、メモリ、各種の入出力ポート等を備えたコンピュータ回路等を使用する。
【００９０】
制御部８０に対しては防護区画毎の流水検知装置７０側に設けた減圧検出器７４及び流水検出器７６を信号線により接続している。
【００９１】
液晶表示パネル８２はタッチパネルを備え、制御部８０の指示により火災表示盤７８の制御動作に必要な各種の画面表示を行い、表示画面の操作ボタンを操作することで、制御動作に必要な各種の操作入力を可能とする。
【００９２】
表示部８４は、火災表示盤７８の制御動作に必要な各種の表示灯を設けている。また、表示部８４にはプリンタを設けており、火災表示盤７８の制御動作に必要な各種の情報を印字出力可能とする。操作部８５は、火災表示盤７８の制御動作に必要な各種の操作スイッチを設けている。警報部８６には火災警報、障害警報を音響出力するスピーカなどを設けている。
【００９３】
（制御部の構成）
火災表示盤７８の制御部８０は、防護区画毎に設けた流水検知装置７０の減圧検出器７４からの減圧検出信号の入力を検出した場合、表示部８４に代表火災表示を行い、また、液晶表示パネル８２に地区火災表示を行う表示制御を行う。
【００９４】
また、制御部８０は、防護区画毎に設けた流水検知装置７０の流水検出器７６からの流水検出信号の入力を検出した場合、表示部８４に放水代表表示を行い、また、液晶表示パネル８２に地区放水表示を行う表示制御を行う。
【００９５】
（時間計測部の構成）
制御部８０に設けた時間計測部８８は、火災が発生した場合又は定期点検などを行う場合、例えばヘッド作動検出部として機能する減圧検出器７４からスプリンクラーヘッドの作動検出に相当する減圧検出信号を入力すると共に、放水開始検出器として機能する流水検出器７６からスプリンクラーヘッドからの加圧消火用水の放水開始の検出に相当する流水検出信号を入力し、減圧検出器７４からの減圧検出信号が入力した場合に時間計測を開始し、流水検出器７６からの流水検出信号が入力した場合に時間計測を終了して、スプリンクラーヘッド２６が作動してから放水を開始するまでの放水所要時間を計測する制御を行う。
【００９６】
また、時間計測部８８は、計測した放水所要時間を表示部８４に設けたプリンタに指示して印字出力すると共に、液晶表示パネル８２に指示して放水所要時間を表示する制御を行い、計測した放水所要時間を出力して確認可能とする。
【００９７】
また、時間計測部８８は、液晶表示パネル８２の操作画面を用いた点検操作の受付けを検出した場合、２次側配管の末端に設けた末端試験用電動弁２８を開放制御して放水所要時間を計測する制御を行う。この場合、時間計測部８８は、複数の防護区画に設けた末端試験用電動弁８８に対し所定のインターバル時間を於いて開放制御信号を出力する起動制御を行って放水所要時間を順次計測する制御を行う。
【００９８】
このような時間計測部８８により擬似的にスプリンクラーヘッド２６が作動したと同じ試験放水を行って、スプリンクラーヘッド２６が開放作動して消火用水の放水を開始するまでの放水所要時間を計測するようにしたため、スプリンクラーヘッド２６が開放作動してから放水するまでの放水所要時間（放水遅れ時間）を実際の消火設備について確認することを可能とし、法的に義務付けられた１分以内となる放水所要時間を満たしていることを確認することで、消火設備の信頼性を確保可能とする。
【００９９】
また、計測した放水所要時間が１分未満の十分に短い時間であった場合には、火災が発生した場合に消火タイミングが早い設備であることが確認でき、設備性能に対し高い評価をもつことで、高い信頼性を確保可能とする。
【０１００】
また、スプリンクラーヘッド２６の開放作動から放水までの放水所要時間が例えば１分未満となることが確認できた場合、湿式の１．５倍となる水源容量を、所要放水時間の短縮時間に応じて倍率を低減可能となり、消火設備の実態に合った水源水槽１５の水量で済むため、建物建設する場合に、水源水槽１５の占有面積を少なくすることを可能とする。
【０１０１】
（減圧検出から流水検出までの時間計測動作）
図８は、図６及び図７について、時間計測部８８による末端試験用電動弁２８を開放制御して行う放水所要時間の計測動作を示したタイムチャートである。
【０１０２】
図８に示すように、火災表示盤７８の時間計測部８８は、点検操作などの受付けを検出して時刻ｔ１で末端試験用電動弁２８に開放制御信号を出力して起動制御を行うと、流水検知装置７０の２次側の分岐管２２に充填している加圧空気が排出され、２次側管内圧力が低下を始める。
【０１０３】
この減圧により２次側配管圧力が時刻ｔ２で所定の閾値圧力Ｐｔｈ１に低下すると減圧検出器７４が減圧検出信号を出力し、火災表示盤７８の制御部８０は火災表示を行う。また、２次側配管減圧により発生する差圧で本弁７２の弁体が開放し、１次側の加圧消火用水を２次側の分岐管２２に供給し、開放している末端試験用電動弁２８を介して排水管３２に流し、スプリンクラーヘッド２６の一台が作動した場合に相当する水量を流す試験放水を行う。この試験放水により時刻ｔ４で流水検出器７６が流水検出信号を出力し、火災表示盤７８は放水表示を行う。
【０１０４】
一方、試験放水により給水本管１６の管内圧力も低下し、時刻ｔ３で所定の圧力閾値Ｐｔｈ３に低下すると圧力タンク１８に設けた圧力検出器２０が減圧検出信号をポンプ制御盤１４に出力し、消火ポンプ１０を起動する。これにより低下していた給水本管１６の管内圧力は回復し、また、流水検知装置７０の２次側管内圧力も回復し、試験放水を継続する。
【０１０５】
このような試験放水において、時間計測部８８は、時刻ｔ２で減圧検出器７４からの減圧検出信号の入力を検出すると時間計測を開始し、その後、時刻ｔ４で流水検出器７６からの流水検出信号の入力を検出すると時間計測を終了し、このように計測した時刻ｔ２からｔ４までの時間を、スプリンクラーヘッド２６を作動したときから消火用水を放水するまでの放水所要時間Ｔｄとして出力する。
【０１０６】
ここで、末端試験用電動弁２８を開放制御する時刻ｔ１は、火災によるスプリンクラーヘッド２６が開放作動する時刻に相当し、その直後となる時刻ｔ２の減圧検出器７４による減圧検出で時間計測を開始しており、実質的にスプリンクラーヘッド２６が開放作動したと同じタイミングで時間計測を開始している。
【０１０７】
また、本弁７２の差圧に基づく開放による２次側への加圧消火用水の供給による流水を時刻ｔ４の流水検出器７６により検出して時間計測を終了しており、時刻ｔ４は作動したスプリンクラーヘッド２６からの放水開始タイミングに略一致している。従って、末端試験用電動弁２８の開放制御による試験放水で放水所要時間を計測しているが、実際にスプリンクラーヘッド２６を作動したときから消火用水を放水するまでの時間に略一致する放水所要時間を正確に計測することを可能とする。
【０１０８】
［減圧検出器のみによる時間計測］
図６及び図７に示した火災表示盤７８の制御部８０に設けた時間計測部８８の他の実施形態として、時間計測部８８は、予作動弁装置２４に設けた減圧検出器７４からの減圧検出信号が入力した場合に時間計測を開始し、同じ減圧検出器７４からの減圧検出信号の入力が停止した場合に時間計測を終了して放水所要時間を計測する制御を行う。
【０１０９】
即ち、図８のタイムチャートに示すように、末端試験用開放弁２８の開放制御による２次側管内圧力の低下に対し、時間計測部８８は、流水検知装置７０に設けた減圧検出器７４が時刻ｔ２で所定の閾値圧力Ｐｔｈ１に低下する減圧を検出した場合の減圧検出信号の入力を検出して時間計測を開始し、時刻ｔ３での給水本管内圧力の低下に基づく消火ポンプ１０の起動により上昇を始めた２次側管内圧力が時刻ｔ５で所定の圧力閾値Ｐｔｈ１に回復して減圧検出信号の入力の停止を検出した場合に時間計測を終了し、このように計測した時刻ｔ２からｔ５までの時間を、スプリンクラーヘッド２６を作動したときから消火用水を放水するまでの放水所要時間Ｔｄ２として出力する。
【０１１０】
このように同じ減圧検出器７４より減圧検出の開始から終了までの時間から放水所要時間Ｔｄ２を計測することで、その構成を簡単にすることを可能とする。また、この場合の放水所要時間Ｔｄ２は、減圧検出器７４による減圧検出から流水検出器７６による流水検出までの時間計測による放水所要時間Ｔｄに対し若干長めの時間を計測することになるが、実際にスプリンクラーヘッド２６を作動したときから消火用水を放水するまでの時間に略一致する放水所要時間を計測することを可能とする。
【０１１１】
また、減圧検出器７４の減圧回復を検出する圧力閾値をＰｔｈ１より低い値に設定すれば、流水検出器７６と組み合わせた場合と同等な精度で放水所要時間を計測可能とする。
【０１１２】
［末端試験用電動弁の起動制御から流水検出までの時間計測］
図６及び図７に示した火災表示盤７８の制御部８０に設けた時間計測部８８の他の実施形態として、時間計測部８８は、末端試験用電動弁２８に対する開放制御信号の出力を検出した場合に時間計測を開始し、その後、流水検出器７６からの流水検出信号の入力を検出した場合に時間計測を終了して放水所要時間を計測する制御を行う。
【０１１３】
即ち、図８のタイムチャートに示すように、末端試験用開放弁２８を時刻ｔ１で開放制御する開放制御信号の出力を検出した場合に時間計測を開始し、時刻ｔ４で流水検出器７６からの流水検出信号の入力を検出した場合に時間計測を終了し、時刻ｔ１からｔ４までの時間を計測し、スプリンクラーヘッド２６を作動したときから消火用水を放水するまでの放水所要時間Ｔｄとして出力する。
【０１１４】
このように末端試験用電動弁２８の開放制御の開始タイミングで時間計測を開始することで、スプリンクラーヘッド２６の開放作動に相当するタイミングでの時間計測の開始を可能とし、実際にスプリンクラーヘッド２６を作動したときから消火用水を放水するまでの時間により近い放水所要時間を計測することを可能とする。
【０１１５】
また、末端試験用電動弁２８の開放制御の開始タイミングを検出することで、減圧検出器などのセンサを不要とし、構成を簡単にすることを可能とする。
【０１１６】
［減圧検出と圧力回復検出による時間計測］
図９は減圧検出器と圧力検出器を設けて放水所要時間の計測するための流水検知装置の概略を示した説明図である。
【０１１７】
図９に示すように、流水検知装置７０には、図６の実施形態と同様、本弁７２、第１の減圧検出器として機能する減圧検出器７４及び流水検出器７６を備え、２次側の分岐管２２内にエア配管５８から供給した加圧空気を充填している。
【０１１８】
これに加え図９の実施形態にあっては、更に、２次側の分岐管２２の管内圧力の回復を検出する圧力検出器７５を新たに設けており、圧力検出器７５は、減圧検出器７４で減圧検出するための第１圧力閾値Ｐｔｈ１例えば０．０５ＭＰａに対し、これより高い例えば０．１ＭＰａとなる回復圧力を検出するための第２圧力閾値Ｐｔｈ２を設定している。
【０１１９】
図１０は、図９の減圧検出器74と圧力検出器７５を設けた場合について、時間計測部８８による末端試験用電動弁を開放制御して行う放水所要時間の計測動作を示したタイムチャートである。
【０１２０】
図１０に示すように、火災表示盤７８の時間計測部８８は、点検操作などの受付けを検出して時刻ｔ１で末端試験用電動弁２８の起動制御を行うと、流水検知装置７０の２次側の分岐管２２に充填している加圧空気が排出され、２次側管内圧力が低下を始める。
【０１２１】
２次側配管圧力が時刻ｔ２で第２圧力閾値Ｐｔｈ２を下回ると、それまでオンしていた圧力検出器７５がオフとなり、続いて時刻ｔ３で２次側配管圧力が第1圧力閾値Ｐｔｈ1以下になると減圧検出器７４がオンして減圧出信号を出力し、火災表示盤７８で火災表示を行う。また、２次側の分岐管２２の減圧による発生する差圧により本弁７２の弁体が開放し、１次側の加圧消火用水を２次側の分岐管２２に供給し、開放している末端試験用電動弁２８を介して排水管３２に流し、スプリンクラーヘッド２６の一台が作動した場合に相当する水量を流す試験放水を行う。
【０１２２】
この試験放水により時刻ｔ５で流水検出器７６が流水検出信号を出力し、火災表示盤７８は放水表示を行う。また、試験放水により給水本管１６の管内圧力も低下し、時刻ｔ４で所定の圧力閾値Ｐｔｈ３に低下すると圧力検出器２０が減圧検出信号をポンプ制御盤１４に出力し、消火ポンプ１０を起動する。
【０１２３】
消火ポンプ１０を起動すると、給水本管１６の圧力が回復を始め、これに伴い２次側配管の管内圧力も回復し、時刻ｔ６で第１圧力閾値Ｐｔｈ１を超えて減圧検出器７４がオフし、続いて時刻ｔ７で第２圧力閾値Ｐｔｈ２に達して圧力検出器７５がオンとなる。
【０１２４】
このような試験放水において、時間計測部６８は、時刻ｔ３で減圧検出器４４からの減圧検出信号の入力を検出すると時間計測を開始し、その後、時刻ｔ７で圧力回復を検出した圧力検出器４５からの圧力検出信号の入力を検出すると時間計測を終了し、計測した時刻ｔ３からｔ７までの時間を、スプリンクラーヘッド２６が作動したときから消火用水を放水するまでの放水所要時間Ｔｄとして出力する。
【０１２５】
このような減圧検出器７４による減圧検出で放水所要時間の計測を開始し、圧力検出器７５による回復圧力の検出で時間計測を終了するようにしたため、スプリンクラーヘッドが作動してから実際に放水が開始されるまでの時間により近い放水所要時間を高い精度で測定することが可能となる。
【０１２６】
［本発明の変形例］
（火災による放水所要時間の計測）
上記の実施形態は、定期点検の場合にスプリンクラーヘッドの作動から放水するまでの放水所要時間を計測しているが、火災によりスプリンクラーヘッドが作動した場合にも、同様にして、時間計測部は放水所要時間を計測して印字及び又は表示により出力する制御を行い、計測された放水所要時間から消火設備が火災の発生にたいし１分以内のどのくらいの時間で放水したかを確認可能とし、消火設備による消火能力の検証を適切に行うことを可能とする。
【０１２７】
（自己診断制御）
上記の実施形態は、定期点検の場合にスプリンクラーヘッドの作動から放水するまでの放水所要時間を計測しているが、制御盤として機能する予作動弁制御盤及び火災表示盤が日常的に行う自己診断機能として放水所要時間の計測機能を設け、これにより消火設備の正しい保全管理を適切に行うことを可能とする。
【０１２８】
（末端試験弁）
上記の実施形態は、末端試験弁と並列に末端試験用電動弁を設けて遠隔的に放水試験を行うようにしているが、末端試験弁のみとし、末端試験弁の開放操作による試験放水で放水所要時間を計測するようにしても良い。
【０１２９】
（シングルインターロック）
上記の実施形態の乾式予作動スプリンクラー消火設備は、火災感知器による火災検出と減圧検出器による減圧検出の両方を判別した場合に作動用電動弁に開放制御信号を出力して開放制御し、当該開放制御により予作動弁を開放してスプリンクラーヘッドから加圧消火用水を散水させるダブルインターロック制御を例にとっているが、火災感知器による火災検出を判別した場合に作動用電動弁に開放制御信号を出力して開放制御し、当該開放制御により予作動弁を開放してスプリンクラーヘッドから加圧消火用水を散水させるシングルインターロック制御についても、同様に適用できる。
【０１３０】
このシングルインターロックの場合も、火災感知器による火災検出で作動用電動弁に開放制御信号を出力して開放制御するパターン以外に、火災感知器による火災検出ができない障害検出、例えば伝送障害、断線、短絡、連動停止、商用電源断などの障害検出を判別した場合に、作動用電動弁４２に開放制御信号を出力して開放制御し、当該開放制御により予作動弁装置２４を開放してスプリンクラーヘッドから加圧消火用水を放水させる。
【０１３１】
（その他）
また、本発明はその目的と利点を損なうことのない適宜の変形を含み、更に上記の実施形態に示した数値による限定は受けない。
【符号の説明】
【０１３２】
２４：予作動弁装置
２８：末端試験用電動弁
３４：予作動弁制御盤
３６：火災感知器
４０：予作動弁
４２：作動用電動弁
４４，７４：減圧検出器
４５，７５：圧力検出器
４６，７６:流水検知器
４８：エアコンプレッサー
５０：コンプレッサー制御盤
６０，８０：制御部
６２，８２：液晶表示パネル
６４，８４：表示部
６５，８５:操作部
６８，８８：時間計測部
７０：流水検知装置
７２：本弁
７８：火災表示盤
【図１】
2015097561.tif 000003
【図２】
2015097561.tif 000004
【図３】
2015097561.tif 000005
【図４】
2015097561.tif 000006
【図５】
2015097561.tif 000007
【図６】
2015097561.tif 000008
【図７】
2015097561.tif 000009
【図８】
2015097561.tif 000010
【図９】
2015097561.tif 000011
【図１０】
2015097561.tif 000012